(57)【要約】【課題】  竹筒に穿設等を必要とせず、雑菌や異物の混入をさせずに竹の節間の空洞部分（竹筒）に液体を封入する方法を提供する。【解決手段】  連続する節３と竹稈２を含む竹筒１に液体Ｌを封入する方法であって、第１節面４ａを液体Ｌに浸漬させ、第２節面４ｂ側を減圧させることにより、第１節面４ａを通じて竹筒１内に液体Ｌを封入する方法とする。更に、液体が封入された竹筒を更に密封する方法とする。また、液体Ｌは果汁液、飲料水、日本酒、ワイン、ウイスキーを含む酒類、化粧水のいずれかである。【選択図】図２
2006298392.tif 000002
【特許請求の範囲】
【請求項１】
連続する節と竹稈を含む竹筒に液体を封入する方法であって、
第１節面を液体に浸漬させ、第２節面側を減圧させることにより、前記第１節面を通じて前記竹筒内に液体を封入する方法。
【請求項２】
連続する節と竹稈稈を含む竹筒に液体を封入する方法であって、
第１節面を通じて気体を圧縮注入し、第１及び／又は第２節面を液体に浸漬させ、前記第１及び／又は第２節面を通じて前記竹筒内に液体を封入する方法。
【請求項３】
請求項１又は２に記載の方法により液体が封入された竹筒を更に密封する方法。
【請求項４】
前記液体は、果汁液、飲料水、日本酒、ワイン、ウイスキーを含む酒類、化粧水のいずれかである請求項１乃至３のいずれかに記載の方法。
【請求項５】
請求項１乃至４のいずれか方法により、液体が封入された竹筒。
【請求項６】
液体が封入された竹筒から液体を取り出す方法であって、予め竹稈の側面に形成された薄肉部を貫通させて貫通部を形成し、前記貫通部から前記液体を取り出す方法。
【請求項７】
液体が封入された竹筒から液体を取り出す方法であって、いずれかの節面に開口部を形成し、前記開口部から前記液体を取り出す方法。
【請求項８】
液体が封入された竹筒から液体を取り出す方法であって、木口から竹筒長手方向に延びて形成された穴部と、前記穴部に連通する竹稈の側面に形成された貫通孔とにより竹稈の側面に予め形成された薄肉部を貫通させて貫通部を形成し、前記貫通部を通じ前記穴部から前記液体を取り出す方法。
【発明の詳細な説明】
【技術分野】
【０００１】
本発明は、竹筒に穿設等の加工をすることなく、竹の節間の空洞部分（竹筒）に液体を封入する方法に関する。
【背景技術】
【０００２】
古代より竹及び笹が様々な用途に使用されている。この中で特に注目される用途は、食料や飲料の保存に使用されていることで、竹は最も簡易な容器や食器として手軽に利用されてきた。これは、先人が竹及び笹の抗菌性を熟知していたと考えられる。
【０００３】
また、切断した筒状の青竹の中に酒類を入れて、該青竹を火であぶった後、酒類を飲む習慣がある。あぶられた酒は風味があり、まろやかな味の酒となるとされている。また、笹の葉をすりつぶし、水に溶かした溶液で洗顔すると、皮膚がなめらかになり皮膚のキメが細かくなるともされている。
【発明の開示】
【発明が解決しようとする課題】
【０００４】
ところで、竹筒（竹の節間の空洞部分）内に飲料を注入し保存する場合、竹筒に孔を穿設し、該孔を通じて液体を注入する。その後、該孔に栓をして、竹筒内に保存する方法が採られている。しかし、孔の穿設や液体の注入の際に雑菌や異物が混入するおそれがあり、飲料や化粧水などの保存においては問題となっていた。
【０００５】
したがって、本発明の目的は、竹筒に穿設等の加工を必要とせず、雑菌や異物の混入をさせずに竹筒に液体を封入する方法を提供する。
【課題を解決するための手段】
【０００６】
上記課題を解決するため、鋭意検討した結果、請求項１に記載の発明は、連続する節と竹稈を含む竹筒に液体を封入する方法であって、
第１節面を液体に浸漬させ、第２節面側を減圧させることにより、前記第１節面を通じて前記竹筒内に液体を封入する方法とした。
【０００７】
竹筒の節面及び該節面が竹稈に接する部分には、海綿状の箇所が点在するので部分的に通気性及び透水性がある。したがって、第１節面を液体に浸漬させた状態で、第２節面側を減圧させると、まず、節面の通気性により竹筒の空洞部の圧力が低下する。そして、節面の透水性により、第２節面を通じて液体が該空洞部に封入される。その結果、したがって、竹筒に穿設等の加工を必要とせず、雑菌や異物の混入をさせずに液体を封入させることが可能となる。
【０００８】
請求項２に記載の発明は、連続する節と竹稈稈を含む竹筒に液体を封入する方法であって、
第１節面を通じて気体を圧縮注入し、第１及び／又は第２節面を液体に浸漬させ、前記第１及び／又は第２節面を通じて前記竹筒内に液体を封入する方法とした。
【０００９】
同様に、節面の通気性及び透水性を利用したものである。まず、節面の通気性により、竹筒内に炭酸ガスなどの気体を圧縮注入する。その後、節面の透水性により、第１及び／又は第２節面を通じて液体を封入させるものである。
【００１０】
請求項３に記載の発明は、請求項１又は２に記載の方法により液体が封入された竹筒を更に密封する方法とした。
【００１１】
上述したように、通気性及び透水性のため、経年変化により液体が蒸発することがある。また、衛生上の観点から、防黴処理が必要なこともある。このような場合、液体が封入された竹筒を更に密封することにより、液体の蒸発やカビの発生を防ぐことができる。
【００１２】
請求項４に記載の発明は、前記液体は、果汁液、飲料水、日本酒、ワイン、ウイスキーを含む酒類、化粧水のいずれかである請求項１乃至３のいずれかに記載の方法とした。
【００１３】
本発明により封入される液体は特に限定されないが、人間が摂取する飲料や人体に直接使用する液体が好ましい。例えば、果汁液、飲料水、日本酒、ワイン、ウイスキーを含む酒類、化粧水が挙げられる。
【００１４】
請求項５に記載の発明は、請求項１乃至４のいずれか方法により、液体が封入された竹筒とした。
【００１５】
上述したように、竹は抗菌性を有するので、封入された液体を長期保存することができる。
【００１６】
請求項６に記載の発明は、液体が封入された竹筒から液体を取り出す方法であって、予め竹稈の側面に形成された薄肉部を貫通させて貫通部を形成し、前記貫通部から前記液体を取り出す方法とした。
【００１７】
請求項７に記載の発明は、液体が封入された竹筒から液体を取り出す方法であって、いずれかの節面に開口部を形成し、前記開口部から前記液体を取り出す方法とした。
【００１８】
請求項８に記載の発明は、液体が封入された竹筒から液体を取り出す方法であって、木口から竹筒長手方向に延びて形成された穴部と、前記穴部に連通する竹稈の側面に形成された貫通孔とにより竹稈の側面に予め形成された薄肉部を貫通させて貫通部を形成し、前記貫通部を通じ前記穴部から前記液体を取り出す方法とした。
【００１９】
密封された液体を長期保存ができるが、これらの方法で容易に液体を取り出すことができる。
【００２０】
本発明では、竹とは、稈部に連続した節を有する植物であり、竹類及び笹類を含む概念である。
【発明の効果】
【００２１】
本発明によれば、竹の節面の透水性を利用して、竹筒内に液体を封入できる。その結果、穿設や液体の注入時に雑菌や異物の混入がなく、衛生的に液体を保存することができる。
【発明を実施するための最良の形態】
【００２２】
以下、図面を用いて、本発明に係る液体封入方法を説明する。図１は、本発明に使用される竹筒を示す。１は竹筒であり、連続した節３を残して切断されたものである。２は竹稈、５は竹稈の断面である木口である。竹筒１の両端には、節面４が露出している。
【００２３】
次に、液体の封入方法について説明する。図２（ａ）は液体の封入方法を示す断面図である。容器２０内に封入する液体Ｌが注がれている。そして、第１節面４ａの全面が液体Ｌに浸漬されている。封入治具１０が第２節面４ｂの全面を覆い、チューブ部１０ｂが真空ポンプ（図示しない）に接続されている。
【００２４】
真空ポンプを動作させると封入治具１０の内圧が低下するが、節面４ｂの通気性により、竹筒１の空洞部６内の空気が吸引され、空洞部６内の圧力も低下する。更に、節面４ａは透水性も有していることから、節面４ｂを通じて液体Ｌが空洞部６に封入される。
【００２５】
したがって、竹筒に穿設等をすることなく液体を封入することができるので、竹の抗菌性と相俟って、竹筒に封入された液体を長期保存することができる。
【００２６】
なお、図２（ｂ）に示すように、封入治具１０と同様の封入治具１１で節面４ａを覆い、チューブ部１１ｂをポンプ（図示しない）に接続して液体Ｌを加圧してもよい。また、節面を密着して覆う観点及び形状の異なる節面に対応させる観点から、封入治具１０、１１はシリコンゴムなどの弾力性のある素材で作られていることが好ましい。
【００２７】
通気性及び透水性は竹稈が高いが、竹稈に液体を通過させても、竹筒内に液体を貯めることは困難なため、木口５を塞ぐことにより効果的に液体を封入することができる。
【００２８】
竹は乾燥竹でもよいが、通気性及び透水性の観点から生竹が好ましく、封入が容易となる。また、封入する液体は限定されないが、粘度の低い液体が好ましい。例えば、粒子の微細な果実液、飲料水、化粧水、酒類等が好ましい。
【００２９】
なお、竹は外面にも節の部分には微細な孔と表皮とは異なる比較的柔らかい肉質の部分がある。乾燥しきっていない生竹の場合は、この部分より、注入と空気抜きを備えた硬質の特殊注射針で、機械装置力によって注射針を竹筒内まで刺しこみ、液体を注入することが出来る。
【００３０】
竹は外面にも節の部分には微細な孔と表皮とは異なる比較的柔らかい肉質の部分がある。乾燥しきっていない生竹の場合は、この部分より既成技術の液体に超圧力をかけた特殊装置によって、注射針を幹に刺し通すことなく、液体を筒内に注入することが出来る。
【００３１】
封入された液体にもよるが、竹筒の乾燥及び節面の通気性により、経年変化により液体が蒸発することがある。また、通気性の比較的高い部分にはカビ等が発生する場合がある。特に竹筒の内側の節の面の部分はカビが発生し易いので、防黴処置が必要なことがある。また、衛生上からも、竹筒に液体を充填した後は、竹筒全体を密封することが好ましい。
【００３２】
竹筒を密封する方法は限定されない。例えば、液体を封入した後、竹筒全体を蝋質の液体、又はポリビニールアルコール系統の液体に浸漬させ、その後加熱又は自然乾燥させて極薄い皮膜処理する方法で密封できる。また、ポリビニール及びポリエチレン系統のフィルム、その他食品で常用される素材のフィルムで真空包装する方法も挙げられる。
【００３３】
次に、竹筒から封入された液体を取り出す方法を説明する。図３（ａ）は、封入された液体を取り出すための穴部を示す。竹稈２の節３の近傍に穴部３１を開けている。穴部３１は、深穴部３２と、深い穴部３２より直径が大きく浅穴部３３からなる。深穴部３２は竹稈２を貫通していないが、竹稈２に薄肉部３４を形成している。
【００３４】
図３（ｂ）に示すドリル４０で穴部３１を開けることができる。ドリル４０は、深穴部３２を開ける刃部４１と、浅穴部３３を開けるヤスリ部４２とを備える。穴部３１が貫通しないように、ストッパ４３を備えてもよい。なお、穴部３１は、液体の封入の前後のいずれでも開けることができる。
【００３５】
図３（ｃ）、（ｄ）に示す取り出し治具５０により、薄肉部３４を貫通させて貫通部を形成させ、貫通部から封入された液体を取り出すことができる。図３（ｃ）は断面図、（ｄ）は斜視図である。取り出し治具５０は、薄肉部３４を貫通する刃部５１、スリット５３を備えた排出孔５２、液体の漏れを防止するパッキン５４を備える。パッキン５４は、ゴム、シリコンゴム、コルクなどで作られていることが好ましい。また、ねじ込みのために凹部５５を備える。
【００３６】
取り出し治具５０を穴部３１に挿入しねじ込むと、刃部５１が薄肉部３４を貫通し、貫通部（図示しない）が形成され、該貫通部、排出孔５２を通じて液体を取り出すことができる。取り出し治具５０を打ち込んでもよい。また、液体の排出を容易にするために、追加の薄肉部を設け、追加の貫通孔を形成してもよい。
【００３７】
図４、５は、節面から封入された液体を取り出す方法を示す図である。取り出し治具６０は、ねじ部６１、ねじ部６１と独立に回転可能な刃部６２、刃部６２に接続された軸部６４と把手６５を備える。また、安全のため刃部６２を覆う保護部６３を備える。
【００３８】
ねじ部６１が節面４ｂの中央部にねじ込まれる。続いて、把手６５を回すと、刃部６２が回転するので、節面４ｂが円形に切断され開口部（図示しない）が形成され、該開口部から液体を取り出すことができる。切断された部分にはねじ部６１がねじ込まれているので、竹筒内に落下することはない。また、ばね６４の付勢により、刃部６２と共に切断された部分が保護部６３内に収納される。
【００３９】
なお、図５（ａ）に示すように、予め刃部６２が当接する部分に円形の浅溝４ｃを刻んでおいてもよい。また、切断くずを濾過するために、開口部にフィルタ７０を取り付けてもよい。
【００４０】
図６（ａ）、（ｂ）に示すように、木口５に溝１００を刻んで、液体を注ぎ易くしてもよい。（ａ）、（ｂ）では、それぞれ竹を節面４ｂに対して略平行に、節面４ｂに対して斜めに切断している。溝１００の断面形状は半円、Ｕ字、Ｖ字が好ましい。
【００４１】
図７は、木口から封入された液体を取り出す方法を示す図である。図７（ａ）において、予め木口５から竹筒１の長手方向に延びる穴部８０を穿設する。穴部８０の内側には薄肉部８４が形成されている。また、竹稈２の節３の近傍に貫通孔８１を開けている。貫通孔８１は、穴部８０と連通するように開けられている。
【００４２】
図７（ｂ）において、取り出し治具９０を貫通孔８１に挿入しねじ込むと、刃部９１が薄肉部８４を貫通して貫通部（図示しない）が形成される。該貫通部、取り出し治具９０のスリット９２、穴部８０を通って、液体を取り出すことができる。貫通孔８１周囲の浅溝と取り出し治具９０のパッキン９４により、液漏れを防止できる。パッキン９４は、ゴム、シリコンゴム、コルクなどで作られていることが好ましい。なお、穴部８０には栓８５を取り付けることもできる。
【００４３】
図８（ａ）に示すように、取り出し治具９０は、ねじ込みのための凹部９５を備える。また、孔部９６を設けて液体を取り出すこともでき、補助口９７と栓９８を追加することもできる。図８（ｂ）に示すように、回転治具１１０により、取り出し治具５０、９０をねじ込むことができる。回転治具１１０の突起１１１を凹部５５、９５に嵌め、把手１１２を回して取り出し治具５０、９０をねじ込む。
【００４４】
なお、取り出し治具５０、９０は耐蝕性のある金属製が好ましい。取り出し治具５０、９０が、ねじ込みのほか、打ち込みによる取り付けも可能である。
【図面の簡単な説明】
【００４５】
【図１】本発明に使用される竹筒を示す斜視図である。
【図２】本発明に係る液体の封入方法を示す図である。
【図３】竹稈から封入された液体を取り出す方法を示す図である。
【図４】節面から封入された液体を取り出す方法を示す図である。
【図５】節面から封入された液体を取り出す方法を示す図である。
【図６】節面から封入された液体を取り出す方法を示す図である。
【図７】木口から封入された液体を取り出す方法を示す図である。
【図８】取り出し治具と回転治具を示す図である。
【符号の説明】
【００４６】
１            竹筒
２            竹稈
３            節
４            節面
５            木口
【図１】
2006298392.tif 000003
【図２】
2006298392.tif 000004
【図３】
2006298392.tif 000005
【図４】
2006298392.tif 000006
【図５】
2006298392.tif 000007
【図６】
2006298392.tif 000008
【図７】
2006298392.tif 000009
【図８】
2006298392.tif 000010